(57)【要約】【課題】攪拌装置に電動機や減速機を不要にするとともに、簡略な機構で攪拌羽根の駆動軸を低速回転させることができる排ガス処理装置を提供すること。【解決手段】担体を充填した担体層２に排気ガスを導いて処理するとともに、該担体層２を攪拌羽根３により攪拌する攪拌装置を設けた排ガス処理装置において、ラチェット歯車１１と、ラチェット歯車１１に噛合するラチェット爪８を備えた爪付きアーム７とを同軸かつ個別に回転可能に設け、ラチェット歯車１１と爪付きアーム７の一方を攪拌羽根３の駆動軸４に接続するとともに、ラチェット歯車１１と爪付きアーム７のもう一方をシリンダ１３のロッド１４に揺動可能に接続する。【選択図】図１
2009208043.tif 000002
【特許請求の範囲】
【請求項１】
担体を充填した担体層に排気ガスを導いて処理するとともに、該担体層を攪拌羽根により攪拌する攪拌装置を設けた排ガス処理装置において、ラチェット歯車と、該ラチェット歯車に噛合するラチェット爪を備えた爪付きアームとを同軸かつ個別に回転可能に設け、ラチェット歯車と爪付きアームの一方を攪拌羽根の駆動軸に接続するとともに、ラチェット歯車と爪付きアームのもう一方をシリンダのロッドに揺動可能に接続したことを特徴とする排ガス処理装置。
【請求項２】
攪拌羽根の駆動軸に爪付きアームを接続するとともに、ラチェット歯車にクランクシャフトを介してシリンダのロッドを接続したことを特徴とする請求項１記載の排ガス処理装置。
【請求項３】
攪拌羽根の駆動軸を複数設けるとともに、各駆動軸のクランクシャフトをリンクロッドで連結したことを特徴とする請求項２記載の排ガス処理装置。
【発明の詳細な説明】
【技術分野】
【０００１】
本発明は、事業所から排出されるガス処理する排ガス処理装置に関し、特に、担体層に充填した担体を、簡潔な装置により攪拌することができる排ガス処理装置に関するものである。
【背景技術】
【０００２】
事業所から排出されるガスの中には、アルコール類やケトン類、芳香族類といった有機炭素系や、硫化水素あるいはメチルメルカプタンといった硫黄系の悪臭物質を含んだものがある。こういったガスは、法規制や周辺地域への負荷軽減のために処理する必要があり、その方法のひとつとして担体吸着法がある。
【０００３】
担体吸着法では、ガスが通過する処理槽内に担体を充填することで担体層を構成し、該担体層をガスが通過することにより、担体表面にガス中の悪臭物質を吸着させて除去している。
特に、微生物吸着法では、担体表面に微生物を付着・増殖させることにより、担体に吸着させた悪臭物質を分解・除去させている。
【０００４】
ところで、この担体吸着法では、担体層を構成する個々の担体と、該担体層を通過するガスとが効率よく接触することが重要であり、そのためには、担体層において複数個の担体が塊とならないように、定期的に攪拌する必要がある。
【０００５】
図５に、担体層を攪拌する攪拌装置を設けた従来の排ガス処理装置を示す。
処理槽１内には、多数の担体を充填した担体層２が設けられており、該担体層２内の担体を攪拌するための攪拌羽根３が設けられている。
攪拌羽根３は駆動軸４と一体であり、駆動軸４は、処理槽１の上部に設けられた駆動装置５と連結され、かつ処理槽１の底部において軸受け６によって支持されている。
ここで、駆動装置５によって駆動軸４及び攪拌羽根３が回転することにより、担体層２内の個々の担体がかき混ぜられることになり、塊となった複数個の担体がほぐされる。
これにより、個々の担体表面が空気にさらされ、もって処理対象ガスと担体が効率的に接触する。
【０００６】
この場合、攪拌は担体層内の担体をほぐすことが目的であり、低速、例えば１分間に数回から十数回程度回転することが望ましい。
同時に、担体層の重量は数トンから数十トンになるため、これを攪拌する際にかかる負荷に耐えうる動力が必要となる。
これら必要とされる事項を満たすため、攪拌装置における駆動装置として、電動機と、この電動機を所定の回転数に設定するための減速機との組み合わせがよく用いられる。
しかしながら、上記従来の排ガス処理装置では、攪拌軸毎に電動機と減速機が必要であり、特に、攪拌軸が複数になる場合には、これら電動機と減速機の点数が攪拌軸と同数必要になるという問題があった。
【発明の開示】
【発明が解決しようとする課題】
【０００７】
本発明は、上記従来の排ガス処理装置が有する問題点に鑑み、攪拌装置に電動機や減速機を不要にするとともに、簡略な機構で攪拌羽根の駆動軸を低速回転させることができる排ガス処理装置を提供することを目的とする。
【課題を解決するための手段】
【０００８】
上記目的を達成するため、本発明の排ガス処理装置は、担体を充填した担体層に排気ガスを導いて処理するとともに、該担体層を攪拌羽根により攪拌する攪拌装置を設けた排ガス処理装置において、ラチェット歯車と、該ラチェット歯車に噛合するラチェット爪を備えた爪付きアームとを同軸かつ個別に回転可能に設け、ラチェット歯車と爪付きアームの一方を攪拌羽根の駆動軸に接続するとともに、ラチェット歯車と爪付きアームのもう一方をシリンダのロッドに揺動可能に接続したことを特徴とする。
【０００９】
この場合において、攪拌羽根の駆動軸に爪付きアームを接続するとともに、ラチェット歯車にクランクシャフトを介してシリンダのロッドを接続することができる。
【００１０】
また、攪拌羽根の駆動軸を複数設けるとともに、各駆動軸のクランクシャフトをリンクロッドで連結することができる。
【発明の効果】
【００１１】
本発明の排ガス処理装置によれば、担体を充填した担体層に排気ガスを導いて処理するとともに、該担体層を攪拌羽根により攪拌する攪拌装置を設けた排ガス処理装置において、ラチェット歯車と、該ラチェット歯車に噛合するラチェット爪を備えた爪付きアームとを同軸かつ個別に回転可能に設け、ラチェット歯車と爪付きアームの一方を攪拌羽根の駆動軸に接続するとともに、ラチェット歯車と爪付きアームのもう一方をシリンダのロッドに揺動可能に接続することから、シリンダのロッドを伸縮させることによって、攪拌羽根の駆動軸を大きなトルクで間欠的に低速回転させることができ、これにより、従来の電動機及び減速機を不要として、攪拌装置の機構を簡略にすることができる。
【００１２】
また、攪拌羽根の駆動軸に爪付きアームを接続するとともに、ラチェット歯車にクランクシャフトを介してシリンダのロッドを接続することにより、シリンダでラチェット歯車を揺動させるとともに、この揺動により爪付きアームを間欠的に回転させ、攪拌羽根の駆動軸を大きなトルクで間欠的に低速回転させることができる。
【００１３】
また、攪拌羽根の駆動軸を複数設けるとともに、各駆動軸のクランクシャフトをリンクロッドで連結することにより、１本のシリンダで複数の駆動軸を回転させることができ、攪拌装置の機構と制御を簡略にすることができる。
【発明を実施するための最良の形態】
【００１４】
以下、本発明の排ガス処理装置の実施の形態を、図面に基づいて説明する。
【実施例１】
【００１５】
図１〜図２に、本発明の排ガス処理装置の第１実施例を示す。
塗装工場等から排出された排気ガスは、排気ファンによって捕集され、排ガス処理装置の処理槽１へと導かれる。
処理槽１の内部には、微生物を付着させた担体を充填した担体層２が設けられ、この担体層２に排気ガスを導いて処理するとともに、処理槽１には、担体層２を攪拌羽根３により攪拌する攪拌装置が設けられている。
【００１６】
この攪拌装置は、ラチェット歯車１１と、このラチェット歯車１１に噛合するラチェット爪８を備えた爪付きアーム７とを同軸かつ個別に回転可能に設け、ラチェット歯車１１と爪付きアーム７の一方を攪拌羽根３の駆動軸４に接続するとともに、ラチェット歯車１１と爪付きアーム７のもう一方をシリンダ１３のロッド１４に揺動可能に接続している。
本実施例では、攪拌羽根３の駆動軸４に爪付きアーム７を接続するとともに、ラチェット歯車１１にクランクシャフト１２を介してシリンダ１３のロッド１４を接続している。
【００１７】
駆動軸４は爪付きアーム７と一体に設けられており、駆動軸４の上部は軸受け１０に回転可能に支持されている（駆動軸４の下部は軸受け６に支持されている）。
爪付きアーム７のラチェット爪８は、ピン９により揺動可能に枢支されており、ラチェット歯車１１に噛合する方向に付勢されている。
また、ラチェット歯車１１とクランクシャフト１２は一体に設けられており、軸受け１０を介して、爪付きアーム７と同軸でかつ個別に回転可能に支持されている。
【００１８】
一方、シリンダ１３のロッド１４とクランクシャフト１２は、ピン１５を介して連結されている。
シリンダ１３のロッド１４は伸縮し、このロッド１４が伸びるときにはラチェット歯車１１が時計回りに回転し、ラチェット爪８と噛合するため、爪付きアーム７も時計回りに回転する。
また、シリンダ１３のロッド１４が縮むときには、ラチェット歯車１１が反時計回りに回転するが、ラチェット爪８にラチェット歯車１１の歯がかからないため、爪付きアーム７は回転しない。
このラチェットの運動を繰り返すことにより、爪付きアーム７に接続された駆動軸４が回転し続け、もって攪拌羽根３が担体層２内を攪拌することができる。
【実施例２】
【００１９】
図３〜図４に、本発明の排ガス処理装置の第２実施例を示す。
【００２０】
本実施例の排ガス処理装置は、微生物が付着した担体を充填した担体層２に排気ガスを導いて生物分解するとともに、この担体層２を攪拌羽根３により攪拌する攪拌装置を設けている。
攪拌装置は、ラチェット歯車１１と、このラチェット歯車１１に噛合するラチェット爪８を備えた爪付きアーム７とを同軸かつ個別に回転可能に設け、攪拌羽根３の駆動軸４に爪付きアーム７を接続するとともに、ラチェット歯車１１にクランクシャフト１２を介してシリンダ１３のロッド１４を接続している。
【００２１】
そして、攪拌羽根３の駆動軸４を複数設けるとともに、各駆動軸４のクランクシャフト１２をリンクロッド１６で連結し、１本のシリンダ１３で複数の駆動軸４を回転させるようにしている。
なお、排ガス処理装置のその他の構成は、第１実施例と同様であるため、同一部材は同一符号を記すことによりその説明を省略する。
【００２２】
かくして、本第１〜第２実施例の排ガス処理装置は、微生物が付着した担体を充填した担体層２に排気ガスを導いて処理するとともに、この担体層２を攪拌羽根３により攪拌する攪拌装置を設けた排ガス処理装置において、ラチェット歯車１１と、このラチェット歯車１１に噛合するラチェット爪８を備えた爪付きアーム７とを同軸かつ個別に回転可能に設け、ラチェット歯車１１と爪付きアーム７の一方を攪拌羽根３の駆動軸４に接続するとともに、ラチェット歯車１１と爪付きアーム７のもう一方をシリンダ１３のロッド１４に揺動可能に接続することから、シリンダ１３のロッド１４を伸縮させることによって、攪拌羽根３の駆動軸４を大きなトルクで間欠的に低速回転させることができ、これにより、従来の電動機及び減速機を不要として、攪拌装置の機構を簡略にすることができる。
【００２３】
また、攪拌羽根３の駆動軸４に爪付きアーム７を接続するとともに、ラチェット歯車１１にクランクシャフト１２を介してシリンダ１３のロッド１４を接続することにより、シリンダ１３でラチェット歯車１１を揺動させるとともに、この揺動により爪付きアーム７を間欠的に回転させ、攪拌羽根３の駆動軸４を大きなトルクで間欠的に低速回転させることができる。
【００２４】
また、攪拌羽根３の駆動軸４を複数設けるとともに、各駆動軸４のクランクシャフト１２をリンクロッド１６で連結することにより、１本のシリンダ１３で複数の駆動軸４を回転させることができ、攪拌装置の機構と制御を簡略にすることができる。
【００２５】
以上、本発明の排ガス処理装置について、その実施例に基づいて説明したが、本発明は上記実施例に記載した構成に限定されるものではなく、その趣旨を逸脱しない範囲において適宜その構成を変更することができる。
【００２６】
例えば、ラチェット歯車１１を攪拌羽根３の駆動軸４に接続するとともに、爪付きアーム７にシリンダ１３のロッド１４を接続して揺動させることもできる。
【産業上の利用可能性】
【００２７】
本発明の排ガス処理装置は、攪拌装置に電動機や減速機を不要にするとともに、簡略な機構で攪拌羽根の駆動軸を低速回転させることから、製造コストを低減した排ガス処理装置として広く好適に用いることができる。
【図面の簡単な説明】
【００２８】
【図１】本発明の排ガス処理装置の第１実施例を示す断面図である。
【図２】同排ガス処理装置の攪拌装置を示す平面図である。
【図３】本発明の排ガス処理装置の第２実施例を示す断面図である。
【図４】同排ガス処理装置の攪拌装置を示す平面図である。
【図５】従来の排ガス処理装置を示す断面図である。
【符号の説明】
【００２９】
１    処理槽
２    担体層
３    攪拌羽根
４    駆動軸
５    駆動装置（従来）
６    軸受け
７    爪付きアーム
８    ラチェット爪
９    ピン
１０  軸受け
１１  ラチェット歯車
１２  クランクシャフト
１３  シリンダ
１４  ロッド
１５  ピン
１６  リンクロッド
【図１】
2009208043.tif 000003
【図２】
2009208043.tif 000004
【図３】
2009208043.tif 000005
【図４】
2009208043.tif 000006
【図５】
2009208043.tif 000007